(57)【要約】      （修正有）【課題】地震・津波・洪水などに際し多くの防災機能を発揮し得る携帯型防災用品を提供する。【解決手段】照明手段１５の他にラジオ機能２２、サイレン（警報）機能を内蔵し、更に、充電機能を有し集積回路９を内蔵する本体１が、手回し発電２８による充電機能により機能するメガホン機能と録放音機能２１とを備えている。【選択図】図７
0003212180.tif 000002
【実用新案登録請求の範囲】
【請求項１】
充電機能を有し集積回路を内蔵する本体が手回し発電による充電機能により機能するメガホン機能と録放音機能とを備えている携帯型防災用品。
【請求項２】
請求項１に記載のものにおいて、本体は、電球やＬＥＤなどの外部に対する照明手段、ラジオ機能、警報機能、携帯電話への充電機能のうちの一つの機能あるいは複数の機能の組み合わされたものも備えている携帯型防災用品。
【考案の詳細な説明】
【技術分野】
【０００１】  この考案は、地震・津波・洪水などに際し多くの面で防災機能を発揮し得る携帯型防災用品に関する。
【背景技術】
【０００２】  一般的に懐中電灯は本体として把持ボディとその一端の前キャップとを有し、把持ボディには内部に乾電池が入れられて後キャップで収納セットされるようになっており、また前キャップ内には電球やＬＥＤなどの照明手段が取り外し可能に装着されるようになっている。そうした懐中電灯である照明装置の一つとして特許文献１に開示されたものがある。
【先行技術文献】
【特許文献】
【０００３】
【特許文献１】実用新案登録第２６０１７１３号公報
【考案の概要】
【考案が解決しようとする課題】
【０００４】  特許文献１に開示された照明装置は、それを地震・津波・洪水などの非常時に使えるようにすることで携帯型防災用品となるものであるが、該照明装置は、電球および電池を備えた照明のみの単機能しか具備しないものであり、例えば、我が国では多発する地震や津波、さらに洪水などの非常事態が発生した際に差程役立ち得るものではなかった。【０００５】  この考案は、上記問題を解決しようとするものであり、照明手段という単機能からラジオ機能、サイレン（警報）機能など多機能とに限ることなく従来なかったメガホン機能とを備え特に手回し発電を可能とすることで地震や津波など災害遭遇時に繰り返し救出アピール用として有効に機能し得るようにした携帯型防災用品を提供することを目的とする。
【課題を解決するための手段】
【０００６】  この考案は上記目的を達成するため、請求項１に記載の考案は、充電機能を有し集積回路を内蔵する本体が手回し発電による充電機能により機能するメガホン機能と録放音機能とを備えている。ここで、録放音機能とは使用する者の発する音声を録音する機能とその録音分を拡大的に放音し得る機能とを併せもつものである。前記充電機能にはＵＳＢ方式等による充電方式も含まれる。
請求項２に記載の考案は、請求項１に記載のものにおいて、本体は、電球やＬＥＤなどの外部に対する照明手段、ラジオ機能、警報機能、携帯電話への充電機能のうちの一つの機能あるいは複数の機能の組み合わされたものも備えている。ここで、複数の機能の組み合わされたものとは、照明手段を照明、ラジオ機能をラジオ、警報機能を警報、携帯電話への充電機能を携充として略称すると、照明手段を組み合わせの１基準した場合、照明とラジオの２つの組み合わせ、照明と警報の２つの組み合わせ、照明と携充の２つの組み合わせ、照明とラジオと警報の３つの組み合わせ、照明とラジオと携充の３つの組み合わせ、照明と警報と携充の３つの組み合わせ、照明とラジオと警報と携充の４つの組み合わせの合計７通りがあり、ラジオ機能を組み合わせの１基準とする場合、ラジオと警報の２つの組み合わせ、ラジオと携充の２つの組み合わせ、ラジオと警報と携充の３つの組み合わせの３通りがあり、警報を組み合わせの１基準とする場合、警報と携充の２つの組み合わせの１通りがある。照明手段としては、白色のみの場合と白色と赤色とを交互切換可能に組み合わせる場合がある。
【考案の効果】
【０００７】  上述したように請求項１に記載の考案は、充電機能を有し集積回路を内蔵する本体が手回し発電による充電機能により機能するメガホン機能と録放音機能とを備えているので、照明手段のみという単機能に限ることなく従来なかったメガホン機能を備え特に手回し発電を可能とすることで地震や津波など災害遭遇時に繰り返し救出アピール用として有効に機能し得るようにした携帯型防災用品を提供することができる。
【図面の簡単な説明】
【０００８】
【図１】  この考案の一実施形態を示す上面図。
【図２】  図１のＡ方向からの矢視図。
【図３】  図１のＢ方向からの矢視図。
【図４】  図２のＣ方向からの矢視拡大図。
【図５】  図２のＤ方向からの矢視図。
【図６】  他の実施形態を示す上面図。
【図７】  図６の実施形態の底面図。
【図８】  図７のＥ方向からの矢視図。
【考案を実施するための形態】
【０００９】  以下、この考案である携帯型防災用品の一実施形態を図１ないし図５に基づいて説明する。
これらの図に示す携帯型防災用品は、本体１を備え、この本体１は、円筒状で手で把持しやすい形をした把持ボディ２と、その拡開状になった先端（一端）に脱着自在にねじ付けられた前キャップ３とを備える。
把持ボディ２には、充電池５あるいは乾電池（コイン型を含む）を入れる電池収納部６が収納されるとともに電池入れカバー７の開閉を介して出し入れ可能とされ、また、把持ボディ２の内部には集積回路板９が組み込まれている。
【００１０】  把持ボディ２の周りには以下の多機能の操作系が配備されている。１２はメガホンスイッチ（メガホン機能の一つ）、１３はライトスイッチ（照明手段の一つ）で、把持ボディ２の上面（図１の手前側面）のボディ前後位置に配置されている。前キャップ３内には、中央に単一個であって白色・赤色の切換可能型のＬＥＤ（発光素子）を含む照明源（照明手段の一つ）１５が水封式に配置されるとともに、その外周にはメガホン機能等複数の機能を果たすスピーカー１６が配置されている。照明手段１５はライトスイッチ１３を押す毎に白色点灯→赤色点灯→ＯＦＦとされるものである。メガホンスイッチ１２はそれをＯＮしてリアカバー１８上部に備えた内蔵マイク（メガホン機能の一つ）１９を通して発声するとスピーカー１６を通じて発生した音が前方に拡大しながら発生するようになっている。
【００１１】  リアカバー１８には、図４のように、左上に（ＳＯＳ）録放音スイッチ（録放音機能の一つ）２１が、またその右側にはラジオのＡＭ／ＦＭ選択スイッチ２２が配置され、中段には右側を押す毎に音量が増大し左側を押す毎に音量が減少するようにするための音量調節部２３が設けられており、また下段左側には警報スイッチ（サイレンスイッチ）（警報機能の一つ）２５が右側にはラジオの自動選局操作部（ラジオ機能の一つ）２６が設けられている。スピーカー１６は、メガホン機能、警報機能、ラジオ機能、および録放音機能の共通する機能メンバーとされている。
こうした多機能をもつ携帯型防災用品は、平時、病院・会社・老人ホーム・自宅・工事現場・キャンプ・登山・ウオーキング・観光ガイド・イベント・各種集会・遠足・学校活動・交通整理などにおいて使用される。メガホン機能１２，１６，１９，２３やラジオ機能２２，２３，２６、照明手段１３，１５などであり、さらに、警報機能２５，１６，２３や携帯電話への充電機能３０，３１などである。
【００１２】  地震・津波・洪水・登山などで被害に遭ったときに使用される。即ち、（ＳＯＳ）録放音スイッチ２１は、地震前あるいは地震災害に遭った時点でＯＮ操作され、その状態で内蔵マイク１９を通じて「助けて！」とか「ここです！」などの救出アピールを内部レコーダーに録音しておいてＯＦＦして録音保存し、あとで例えば、地震により瓦礫に埋もれてしまって声が出せなくなったようなときに、（ＳＯＳ）録放音スイッチ２１を押して再生状態にすれば、自ら声出しする必要なく電気的にアピールメッセージを適宜タイミングで再生リピートさせることによりそれを瓦礫外部に伝え救出を促すようにする目的で使用される。そのときの音声拡大はスピーカー１６を通じてなされ、併せて音量調節部２３も使うことで救出につながるようにされる。電池切れになると、図２のように、本体１の横サイドに折畳収納式に設けた発電機能の一つである手回し発電レバー（手回し発電機能（ダイナモ）の一つ）２８を回し操作すれば何度でも充電可能であり平時はもとより地震や津波などの厳しい災害環境下にあってもメガホン機能あるいは録放音機能などを使って救出アピールをすることが可能となる。
【００１３】  図３の３０はＵＳＢ充電用接続ポート、３１はＵＳＢ放電用接続ポートで、ＵＳＢ充電用接続ポート３０には家庭電源などに接続される充電用ケーブルの充電用コネクタが接続されて内部充電池５への充電を可能とするもので、一方ＵＳＢ放電用接続ポート３１は、充電池５から携帯に充電する場合に携帯充電用ケーブルの先の携帯充電用コネクタを差し込むようにして行うものである。尚、携帯への充電は、ＵＳＢ充電用接続ポート３０を使用して行われる充電池５への充電あるいは手回し発電レバー２８を用いてなされる充電池５への充電に基づいてなされる。３３は両ポート３０，３１の保護のためのポートカバーである。
【００１４】  尚、本体１は、図１の左下欄に縮小して示すように、把持ボディ２と前キャップ３とを一体型にしたものにしてもよく、この場合テーパーコーン型にしても図１の前後分割型にしてもよい。また、テーパーコーン型にする場合把持ボディ２と前キャップ３とを分割線Ｘを介して接続する形にしてもよい。
さらに、本体１は、図１の左下欄に仮想線で示すように全体がストレートなボディとなるようにしてもよく、この場合、把持ボディ２と前キャップ３が分割線Ｘを介して接続されたタイプのものにすることができる。
また、各機能スイッチは図６ないし図８に示すようにしてもよい。即ち、図６のような本体１の一側面には、警報スイッチ２５とメガホンスイッチ１２およびライトスイッチ１３を配し、図７のような本体１の他側面には、（ＳＯＳ）録放音スイッチ２１と自動選局操作部２６およびＡＭ／ＦＭ選択スイッチ２２を配する一方、図８のリアカバー１８には、マイク１９の他音量調節部２３を設けるようにすることができる。
【符号の説明】
【００１５】  １…本体  ２…把持ボディ  ５…充電池  ６…電池収納部  ９…集積回路板  １２…メガホンスイッチ（メガホン機能の一つ）  １３…ライトスイッチ  １５…照明源（照明手段の一つ）  １６…スピーカー  １９…内蔵マイク（メガホン機能の一つ）  ２１…（ＳＯＳ）録放音スイッチ（録放音機能の一つ）  ２２…ＡＭ／ＦＭ選択スイッチ（ラジオ機能の一つ）  ２３…音量調節部  ２５…警報スイッチ（警報機能の一つ）  ２６…自動選局操作部（ラジオ機能機能の一つ）  ２８…手回し発電レバー（手回し発電機能の一つ）。
【図１】
0003212180.tif 000003
【図２】
0003212180.tif 000004
【図３】
0003212180.tif 000005
【図４】
0003212180.tif 000006
【図５】
0003212180.tif 000007
【図６】
0003212180.tif 000008
【図７】
0003212180.tif 000009
【図８】
0003212180.tif 000010